(57)【要約】【課題】音声電話からテレビ電話へ切替えを行う場合に通話が途切れることがなく、また音声電話からテレビ電話への切替え時間を短縮できる無線通信装置を提供する。【解決手段】１ｘシステムおよびＥＶＤＯシステムによる情報の送受信が可能な送受信手段（ＲＸ０／ＴＸ）と、１ｘシステムおよびＥＶＤＯシステムによる情報の受信が可能な受信手段（ＲＸ１）と、送受信手段（ＲＸ０／ＴＸ）を用いた１ｘシステムによる通話から、送受信手段（ＲＸ０／ＴＸ）を用いたＥＶＤＯシステムによる通話へ切替え指示する入力部１１と、送受信手段（ＲＸ０／ＴＸ）を用いた１ｘシステムによる通話中に、入力部１１による切替え指示を検出すると、受信手段（ＲＸ１）を用いてＥＶＤＯシステムを検出するシステム検出処理を行う制御部８とを備える。【選択図】図１
2008136119.tif 000002
【特許請求の範囲】
【請求項１】
第１無線通信システムおよび第２無線通信システムによる情報の送受信が可能な送受信手段と、
少なくとも前記第１無線通信システムおよび第２無線通信システムによる情報の受信が可能な受信手段と、
前記送受信手段を用いた前記第１無線通信システムによる通話から、前記送受信手段を用いた前記第２無線通信システムによる通話へ切替え指示する指示手段と、
前記送受信手段を用いた前記第１無線通信システムによる通話中に、前記指示手段による切替え指示を検出すると、前記受信手段を用いて前記第２無線通信システムを検出するシステム検出処理を行う制御手段と、
を有することを特徴とする無線通信装置。
【請求項２】
前記制御手段は、前記システム検出処理により前記第２無線通信システムが検出されると、前記送受信手段を用いた前記第１無線通信システムによる通話の終話処理を実行し、前記送受信手段を用いて前記第２無線通信システムのシステム設定を行うことを特徴とする請求項１に記載の無線通信装置。
【請求項３】
前記制御手段は、前記送受信手段を用いて前記第２無線通信システムのシステム設定を行うと、前記第１無線通信システムで通話していた通話相手を前記第２無線通信システムで呼び出す処理を行うことを特徴とする請求項２に記載の無線通信装置。
【請求項４】
前記制御手段は、前記システム検出処理により前記第２無線通信システムが検出されなかった場合、前記切替え指示に対して切替えができないことを示す応答を出力することを特徴とする請求項１〜３のいずれかに記載の無線通信装置。
【請求項５】
前記切替えができないことを示す応答は、画面表示することを特徴とする請求項４に記載の無線通信装置。
【請求項６】
第１無線通信システムおよび第２無線通信システムによる情報の送受信が可能な送受信手段と、少なくとも前記第１無線通信システムおよび第２無線通信システムによる情報の受信が可能な受信手段とを用いた無線通信方法であって、
前記送受信手段を用いた前記第１無線通信システムによる通話中に、前記送受信手段を用いた前記第１無線通信システムによる通話から、前記送受信手段を用いた前記第２無線通信システムによる通話への切替え指示を検出すると、前記受信手段を用いて前記第２無線通信システムを検出するシステム検出処理を行うことを特徴とする無線通信方法。
【発明の詳細な説明】
【技術分野】
【０００１】
本発明は、無線通信装置および無線通信方法に関するものである。
【背景技術】
【０００２】
近年、携帯電話等の無線通信装置には、それぞれの規格に応じた複数の方式が存在しており、例えば、日本の携帯電話方式では、ＴＤＭＡ方式、ＣＤＭＡ方式が普及している。
【０００３】
通常、無線通信装置は、何れか１つの規格に対応するように構成されているが、最近の例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システム（例えば、ｃｄｍａ２０００  １ｘ方式と１ｘＥＶ−ＤＯ方式等）で通信を行うマルチバンド／マルチモード化も行われている。
【０００４】
このようなマルチバンド／マルチモードに対応する無線通信装置として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した携帯電話端末が知られている（例えば、特許文献１参照）。
【０００５】
また、最近では、ｃｄｍａ２０００  １ｘＥＶ−ＤＯシステムでの送受信をプライマリアンテナで行うと同時に、ｃｄｍａ２０００  １ｘシステムでの受信をセカンダリアンテナで行うＳＨＤＲ（Ｓｉｍｕｌｔａｎｅｏｕｓ  Ｈｙｂｒｉｄ  Ｄｕａｌ  Ｒｅｃｅｉｖｅｒ）機能を搭載して、プライマリアンテナによる通信のスループットの向上を図ったマルチバンド／マルチモード対応の携帯電話端末も考えられている。
【０００６】
図６は、このようなＳＨＤＲ機能を搭載した携帯電話端末の要部の概略構成を示す機能ブロック図である。この携帯電話端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘシステム（回線交換システム）と、１ｘＥＶＤＯ（以下、単にＥＶＤＯと適宜略称する）方式によるＥＶＤＯシステム（パケット交換システム）とを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００７】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。
【特許文献１】特開２００４−１５１６２号公報
【発明の開示】
【発明が解決しようとする課題】
【０００８】
上述した１ｘシステムとＥＶＤＯシステムの両方の機能を備えた携帯電話端末では、ＥＶＤＯシステムによる通信（パケット通信）を用いて着信動作を行うことがないことから、１ｘシステムによる音声通信中は、ＥＶＤＯシステムの電波状態の監視を行わない。このようなときに、音声電話（１ｘシステムによる音声通信）からＥＶＤＯシステムによるテレビ電話（ＩＰＶＴ：ＩＰ  Ｖｉｄｅｏ  Ｔｅｌｅｐｈｏｎｙ）への切替えを行う場合は、音声電話を終了した後にＥＶＤＯシステムのスキャンを行うため、端末装置がＥＶＤＯシステムの圏外にある場合には、音声電話からテレビ電話への切替えに失敗することになり、通話が途切れてしまうという問題がある。また、端末装置がＥＶＤＯシステムの圏内にある場合でも、ＥＶＤＯシステムのスキャンから開始することから、切替えに時間がかかるという問題がある。
【０００９】
本発明は、このような問題点に鑑みてなされたものであり、本発明の目的は、第１の無線通信システムで行っている通話を第２の無線通信システムに切替えを行う場合に通話が途切れることがなく、また切替え時間を短縮できる無線通信装置および無線通信方法を提供することにある。
【課題を解決するための手段】
【００１０】
上記目的を達成するため、本発明の無線通信装置は、第１無線通信システムおよび第２無線通信システムによる情報の送受信が可能な送受信手段と、少なくとも前記第１無線通信システムおよび第２無線通信システムによる情報の受信が可能な受信手段と、前記送受信手段を用いた前記第１無線通信システムによる通話から、前記送受信手段を用いた前記第２無線通信システムによる通話へ切替え指示する指示手段と、前記送受信手段を用いた前記第１無線通信システムによる通話中に、前記指示手段による切替え指示を検出すると、前記受信手段を用いて前記第２無線通信システムを検出するシステム検出処理を行う制御手段とを有することを特徴とする。
【００１１】
前記制御手段は、前記システム検出処理により前記第２無線通信システムが検出されると、前記送受信手段を用いた前記第１無線通信システムによる通話の終話処理を実行し、前記送受信手段を用いて前記第２無線通信システムのシステム設定を行うことが好ましく、また、前記送受信手段を用いて前記第２無線通信システムのシステム設定を行うと、前記第１無線通信システムで通話していた通話相手を前記第２無線通信システムで呼び出す処理を行うことが好ましい。
【００１２】
また、前記制御手段は、前記システム検出処理により前記第２無線通信システムが検出されなかった場合、前記切替え指示に対して切替えができないことを示す応答を出力することが好ましく、また、前記切替えができないことを示す応答は、画面表示することが好ましい。
【００１３】
また、本発明の無線通信方法は、第１無線通信システムおよび第２無線通信システムによる情報の送受信が可能な送受信手段と、少なくとも前記第１無線通信システムおよび第２無線通信システムによる情報の受信が可能な受信手段とを用いた無線通信方法であって、前記送受信手段を用いた前記第１無線通信システムによる通話中に、前記送受信手段を用いた前記第１無線通信システムによる通話から、前記送受信手段を用いた前記第２無線通信システムによる通話への切替え指示を検出すると、前記受信手段を用いて前記第２無線通信システムを検出するシステム検出処理を行うことを特徴とする。
【発明の効果】
【００１４】
本発明は、第１の無線通信システムによる通話中に第２の無線通信システムを検出してシステムの切替え可能状態であることを確認した後に第１の無線通信システムによる通話から第２の無線通信システムへの通話に切替えを行うので、通話が途切れることがなく、また切替え時間を短縮することができる。
【発明を実施するための最良の形態】
【００１５】
本発明の実施の形態について、図を参照して説明する。図１は、本発明の無線通信装置としての携帯電話端末の概略構成を示す機能ブロック図である。本実施の形態の携帯電話端末は、図６と同様に、８００ＭＨｚ帯および２ＧＨｚ帯によるｃｄｍａ２０００  １ｘの第１無線通信システム（以下、１ｘシステムと適宜略称する）と、１ｘＥＶＤＯの第２無線通信システム（以下、ＥＶＤＯシステムと適宜略称する）とを有するとともに、１．５ＧＨｚ帯のＧＰＳ周波数の受信機能を有するものである。
【００１６】
図１に示す携帯電話端末は、ベースバンド部１と、送信部（ＴＸ）２と、プライマリ受信部（プライマリＲＸ０）３と、セカンダリ受信部（セカンダリＲＸ１）４と、デュープレクサ５と、プライマリアンテナ６と、セカンダリアンテナ７と、制御部（制御手段）８と、受信アンテナ制御部９と、表示部１０と、入力部（指示手段）１１と、電話機マイク１２と、電話機スピーカ１３を備えている。
【００１７】
図１において、変調回路および復調回路を有するベースバンド部１には、送信部（ＴＸ）２およびプライマリ受信部（プライマリＲＸ０）３と、セカンダリ受信部（セカンダリＲＸ１）４とが接続されている。送信部２およびプライマリ受信部３は、デュープレクサ５を介してプライマリアンテナ６に接続されて、８００ＭＨｚ帯および２ＧＨｚ帯での送受信が可能となっている。また、セカンダリ受信部４は、セカンダリアンテナ７に接続されて、プライマリ受信部３と独立して８００ＭＨｚ帯、２ＧＨｚ帯および１．５ＧＨｚ帯での受信が可能となっている。ここで、送受信手段は、送信部２、プライマリ受信部３、デュープレクサ５およびプライマリアンテナ６を含んで構成され、受信手段は、セカンダリ受信部４およびセカンダリアンテナ７を含んで構成されている。
【００１８】
本発明は、上述した携帯電話端末において、送受信手段を用いて、１ｘシステムによる音声電話で通話している際に、入力部（指示手段）１１からＥＶＤＯシステムによるテレビ電話（ＩＰＶＴ）への切替え指示を検出すると、１ｘシステムによる音声電話で通話中に、受信手段を用いてＥＶＤＯシステムへの検出（スキャン）を行うシステム検出処理を行うものである。
【００１９】
図２は、音声電話からテレビ電話（ＩＰＶＴ）へ切り替える際の送受信手段および受信手段のシステム状態を表す図である。左から右へ時系列に発信側および着信側の送受信手段（ＲＸ０／ＴＸ）および受信手段（ＲＸ１）のシステム状態を表している。発信側および着信側のそれぞれ上半分が送受信手段（ＲＸ０／ＴＸ）のシステム状態を表しており、下半分が受信手段（ＲＸ１）のシステム状態を表している。制御部（制御手段）８は、送受信手段（ＲＸ０／ＴＸ）を用いて１ｘシステムにより音声電話で通話中に、ユーザから１ｘシステムによる音声電話からＥＶＤＯシステムによるテレビ電話（ＩＰＶＴ）への切替え指示があると、送受信手段（ＲＸ０／ＴＸ）を用いて音声電話で通話をしつつ、受信手段（ＲＸ１）を用いて、ＥＶＤＯシステムを検出（スキャン）するシステム検出処理を行う。
【００２０】
制御部（制御手段）８は、システム検出処理によりＥＶＤＯシステムを検出してテレビ電話（ＩＰＶＴ）へ切替え可能状態であることを確認したならば、音声電話の終話処理を行い、送受信手段（ＲＸ０／ＴＸ）を用いて、ＥＶＤＯシステムに対してシステムネゴシエーション（システム設定）を行い、さらにダイヤルアップＩＰＶＴ発信の処理を行って、１ｘシステムで通話していた通話相手を、ＥＶＤＯシステムにおいて、１ｘシステムにおける電話番号と同一の電話番号で呼び出す。なお、アドレス帳などに、通話相手の１ｘシステムおよびＥＶＤＯシステムにおける識別子を対応付けて記憶しておき、１ｘシステムで通話していた通話相手の識別子に基づいて、アドレス帳などを参照して、ＥＶＤＯシステムにおける当該通話相手の識別子を検索して、ＥＶＤＯシステムにおいて、該検索された当該通話相手の識別子に基づいて通話相手を呼び出すようにしてもよい。そして、ＳＩＰサーバへレジストレーションを行い、ＩＮＶＩＴＥメッセージを送信する。
【００２１】
通話相手の端末がＳＩＰサーバへレジストレーションを行っている場合は、ＩＮＶＩＴＥメッセージが通話相手の端末へ送信され、ＳＩＰサーバへレジストレーションを行っていない場合は、ＳＩＰサーバへのレジストレーションを行わせるＳＭＳ（Ｓｈｏｒｔ  Ｍｅｓｓａｇｅ  Ｓｅｒｖｉｃｅ）メッセージが通話相手の端末へ送信される。制御部（制御手段）８は、通話相手の端末から着信の応答があったならば、ＥＶＤＯシステムによりテレビ電話（ＩＰＶＴ）による通話を開始する。また、システム検出処理においてＥＶＤＯシステムが検出できないためにテレビ電話（ＩＰＶＴ）への切替えが不可能状態であるならば、制御部（制御手段）８は、ユーザからのテレビ電話への切替えの指示に対して切替えができないことを示す応答を出力する。なお、システム切替えを行っても上位のアプリケーションを切り替えないで、同一アプリケーションで対応することが好ましい。
【００２２】
図３は、音声電話からテレビ電話（ＩＰＶＴ）への切替えを説明するシーケンス図である。送受信手段（ＲＸ０／ＴＸ）を用いて音声電話中にユーザからテレビ電話への切替え指示があると、送受信手段（ＲＸ０／ＴＸ）を用いて音声電話で通話を行うとともに、受信手段（ＲＸ１）を用いてＥＶＤＯシステムの検出を開始する。ＥＶＤＯシステムを検出したならば、送受信手段（ＲＸ０／ＴＸ）と１ｘシステムとの間でリリースオーダー（Ｒｅｌｅａｓｅ  Ｏｒｄｅｒ）信号の送受信を行って音声電話の終話処理を行う。次に、送受信手段（ＲＸ０／ＴＸ）とＥＶＤＯシステムとの間でシステムネゴシエーション処理およびパケット接続（ダイヤルアップ発信）処理を行う。次に、ＳＩＰサーバへレジストレーションを行い、ＩＮＶＩＴＥメッセージを送信し、通話相手の端末から着信の応答があったならば、ＥＶＤＯシステムによりテレビ電話（ＩＰＶＴ）が開始される。
【００２３】
図４は、携帯電話端末の表示部の画面遷移を示す図である。（ａ）は音声電話で通話しているときの表示部１０の画面を示している。ここでユーザにより「ＴＶ」のキーが押されて音声電話からテレビ電話への切替え指示があると、受信手段によりＥＶＤＯシステムの検出（スキャン）が開始され、システム検出の間、（ｂ）に示すように、画面に「Ｐｌｅａｓｅ  ｗａｉｔ  ＴＶ電話のご利用頂ける電波状態を確認中です。」の文字が表示される。ＥＶＤＯシステムの検出に成功したならば、音声電話終話処理、ＥＶＤＯシステムネゴシエーション処理、およびＥＶＤＯダイヤルアップＩＰＶＴ発信処理を行っている間、（ｃ）に示すように、画面に「Ｃｈａｎｇｉｎｇ．．．音声→ＴＶ電」の文字が表示される。相手から応答がありＥＶＤＯシステムによる音声通話が開始されると、（ｄ）に示すように、画面にテレビ電話の映像が表示される。また、（ｂ）に示す画面のときに、圏外のためにＥＶＤＯシステムを検出できないときは、（ｅ）に示すように、画面に、音声切替えができないことを示す応答（「確認ＮＧ  現在の電波環境ではＴＶ電話はご利用頂けません。」）を表示して音声電話に復帰（継続）する。
【００２４】
図５は、音声電話を終話した後にＥＶＤＯシステムを検出して音声電話からテレビ電話（ＩＰＶＴ）へ切り替える方法を説明する図である。図５に示すように、音声電話の終話処理を行った後に、ＥＶＤＯシステムを検出して音声電話からテレビ電話（ＩＰＶＴ）へ切り替える方法では、ＥＶＤＯシステムが依然として圏外にある場合等にはＥＶＤＯシステムの電波を捕捉できず、テレビ電話に切替えができないため、通話が途切れてしまうことがある。しかし、本発明では、ＥＶＤＯシステムを検出してテレビ電話へ切替え可能状態であることを確認した後に、音声電話からテレビ電話への切替えを行うので、通話が途切れることがない。また、ＥＶＤＯシステムの電波を捕捉できなかった場合は、ユーザに切替え失敗を通知して、音声電話を継続することができる。また、図５の切替え方法では、音声電話の終話処理を行った後に、ＥＶＤＯシステムを検出していたが、本発明では、音声電話中に既にＥＶＤＯシステムを検出しており、音声電話の終話処理後にはＥＶＤＯシステムの検出を行わないので、音声電話からテレビ電話への切替え時間を短縮することができる。
また、本発明は、上記実施の形態のアプリケーションに限定するものではない。
【図面の簡単な説明】
【００２５】
【図１】本発明の無線通信装置としての携帯電話端末の概略構成を示す機能ブロック図である。
【図２】音声電話からテレビ電話へ切り替える際の送受信手段および受信手段のシステム状態を表す図である。
【図３】音声電話からテレビ電話への切替えを説明するシーケンス図である。
【図４】携帯電話端末の表示部の画面遷移を示す図である。
【図５】音声電話を終話した後にＥＶＤＯシステムを検出して音声電話からテレビ電話（ＩＰＶＴ）へ切り替える方法を説明する図である。
【図６】ＳＨＤＲ機能を搭載した従来の携帯電話端末の概略構成を示す機能ブロック図である。
【符号の説明】
【００２６】
１  ベースバンド部
２  送信部
３  プライマリ受信部
４  セカンダリ受信部
５  デュープレクサ
６  プライマリアンテナ
７  セカンダリアンテナ
８  制御部
９  受信アンテナ制御部
１０表示部
１１  入力部
１２  マイク
１３  スピーカ
【図１】
2008136119.tif 000003
【図２】
2008136119.tif 000004
【図３】
2008136119.tif 000005
【図４】
2008136119.tif 000006
【図５】
2008136119.tif 000007
【図６】
2008136119.tif 000008